(57)【要約】【課題】  粘着シートなど、粘着剤を使用しているネズミ捕り器は、水分や埃に弱く、手足、体全体などが濡れたり、汚れているネズミの捕獲が、困難であった。  また、屋外など風雨の当たる場所での使用、捕獲も困難であった。【解決手段】  本願発明の２部屋型ネズミ捕り器は、ネズミが、前方入口仕掛け部Ａの進入口から進入して、順に前方部屋部Ｂ、餌置き部Ｃ、後方入口仕掛け部Ｄ、後方部屋部Ｅへと前進が可能なような通路を形成しておき、前進して進入した前方部屋部Ｂと後方部屋部Ｅとの２つ部屋では、その部屋へ入ると、その部屋からは、後退をして逃れることが出来ないようにしたものである。【選択図】図１０
2008035844.tif 000002
【特許請求の範囲】
【請求項１】
前方部屋部Ｂと後方部屋部Ｅとの２部屋を備えたネズミ捕り器であって、前方部屋部Ｂと後方部屋部Ｅとのそれぞれのネズミ進入口を順にふさぐことによって、前方部屋部Ｂから進入したネズミを後方部屋部Ｅにおいて捕獲すること
を特徴とする２部屋型ネズミ捕り器。
【請求項２】
前方部屋部Ｂのネズミ進入口には、前方部屋部Ｂのネズミ進入口をふさぐための第１の仕掛けを有し、後方部屋部Ｅのネズミ進入口には、後方部屋部Ｅのネズミ進入口をふさぐための第２の仕掛けを有していること
を特徴とする請求項１に記載の２部屋型ネズミ捕り器。
【請求項３】
前方部屋部Ｂと後方部屋部Ｅとの２部屋を備えたネズミ捕り器において、前方部屋部Ｂには、前方部屋部Ｂのネズミ進入口をふさぐための第１の仕掛けを有する前方入口仕掛け部Ａを隣接して設け、後方部屋部Ｅのネズミ進入口には、後方部屋部Ｅのネズミ進入口をふさぐための第２の仕掛けを有する後方入口仕掛け部Ｄを隣接して設けるとともに、前方部屋部Ｂと後方入口仕掛け部Ｄとの間にネズミの餌を置く餌置き部Ｃを設けたこと
を特徴とする２部屋型ネズミ捕り器。
【請求項４】
一枚の底板１を共用して使用して、その底板１の上に、前方入口仕掛け部Ａと、前方部屋部Ｂと、餌置き部Ｃと、後方入口仕掛け部Ｄと、後方部屋部Ｅとを順に設けたものであり、前方入口仕掛け部Ａから後方部屋部Ｅまでネズミの通路が貫通して形成されていること
を特徴とする請求項３に記載の２部屋型ネズミ捕り器。
【請求項５】
第１の仕掛けが、
前方部屋部Ｂにおいて底板１に固定されている軸受け部８にてシーソー動作をするように設けられている傾斜板７と、
傾斜板７の一端部の上面に、垂直方向に下端部が乗っているコマ回転制御板４と、
底板１と平行な軸によって回動可能であり、下降したコマ回転制御板４の上端部によってその回動が制御され、それぞれほぼ四角形状をして上下方向に並べて軸支されている下コマ５と上コマ６と、
コマ回転制御板４と対向する面と反対側の面において上コマ６から突出しているピン１３と、
ピン１３を挿入できるピン挿入孔３を中間部に形成していて、コマ回転制御板４とは２つのコマ５と６を介して平行に対向して配置され、下端部が底板１上に位置している状態ではネズミの進入口をふさぎ、下端部が底板１から離れ上昇して、ピン挿入孔３にピン１３が挿入されている状態では、ネズミの進入が可能な進入口を形成する入口平板２と
を有していて、
傾斜板７の他端部の方向に進んできたネズミの重みによって、傾斜板７の他端部が下がるシーソー動作によって、コマ回転制御板４を上昇させるとともに入口平板２を落下させ、入口平板２の下端部が底板１上に位置する状態としてネズミの後退を防ぐように進入口をふさぐこと
を特徴とする請求項４に記載の２部屋型ネズミ捕り器。
【請求項６】
第２の仕掛けが、
後方部屋部Ｅにおいて底板１に固定されている軸受け部８’にてシーソー動作をするように設けられている傾斜板７’と、
傾斜板７’の一端部の上面に、垂直方向に下端部が乗っているコマ回転制御板４’と、
底板１と平行な軸によって回動可能であり、下降したコマ回転制御板４’の上端部によってその回動が制御され、それぞれほぼ四角形状をして上下方向に並べて軸支されている下コマ５’と上コマ６’と、
コマ回転制御板４’と対向する面と反対側の面において上コマ６’から突出しているピン１３’と、
ピン１３’を挿入できるピン挿入孔３’を中間部に形成していて、コマ回転制御板４’とは２つのコマ５’と６’を介して平行に対向して配置され、下端部が底板１の上方に底板１と平行に設けられ、ネズミが踏みつけて行く第２の底板１８上に位置している状態ではネズミの餌置き部Ｃから後方部屋部Ｅ方向への進入口をふさぎ、下端部が第２の底板１８から離れ上昇して、ピン挿入孔３’にピン１３’が挿入されている状態では、ネズミの進入が可能な進入口を形成する平板２’と、
平板２’とコマ回転制御板４’とに平行に、かつ、平板２’と後方部屋部Ｅ側で対向し、平板２’の上昇、降下に連動するように配置されて、下端部が、底板１と傾斜板７’との上方で底板１と平行であり、第２の底板１８とほぼ同じ高さ位置に設けられてネズミが踏みつけて行く第３の底板２０上に位置している状態では、ネズミの後方部屋部Ｅ方向への進入口をふさぎ、下端部が第３の底板２０から離れて上昇した状態では、ネズミの進入が可能な進入口を形成するフタ板２１と、
傾斜板７’の他端部の上面に接する接触板２４を介して、第３の底板２０の先端側の上面に蝶番により取り付けられ、傾斜板７’の他端部の上昇に連動して第３の底板２０に対して上方に傾斜をする蝶番を有する踏み板２３と
を有していて、
第３の底板２０上を進んできたネズミが、上方に傾斜している蝶番を有する踏み板２３を踏むと、ネズミの重みによって、踏み板２３が沈み、接触板２４を介して傾斜板７’の他端部が下がるシーソー動作によって、コマ回転制御板４’を上昇させるとともに平板２’とフタ板２１とを落下させ、平板２’の下端部が第２の底板１８上に、そして、フタ板２１の下端部が第３の底板２０上に位置する状態となり、ネズミの後方部屋部Ｅからの後退を防ぐように進入口をふさぐこと
を特徴とする請求項４に記載の２部屋型ネズミ捕り器。
【請求項７】
コマ回転制御板４は、下方部にネズミの通路となる開口１４が形成され、その開口１４の上端部に下コマ５と上コマ６の回動の規制を行う枠部分１５が、そして、中間部に下コマ５と上コマ６の回動の規制を解放するための切り込み部１６が形成されていること
を特徴とする請求項５に記載の２部屋型ネズミ捕り器。
【請求項８】
コマ回転制御板４’は、下方部にネズミの通路となる開口が形成され、その開口の上端部に下コマ５’と上コマ６’の回動の規制を行う枠部分が、そして、中間部に下コマ５’と上コマ６’の回動の規制を解放するための切り込み部が形成されていること
を特徴とする請求項６に記載の２部屋型ネズミ捕り器。
【請求項９】
底板１をネズミ捕り器本体側に残したまま、それ以外の餌置き部Ｃの部分をネズミ捕り器本体から取り外し、取り付け自在にしたこと
を特徴とする請求項４に記載の２部屋型ネズミ捕り器。
【請求項１０】
餌置き部Ｃは、餌の出し入れをするための開閉口を有すること
を特徴とする請求項４に記載の２部屋型ネズミ捕り器。
【請求項１１】
餌置き部Ｃは、金網の部分や透明板の部分を有すること
を特徴とする請求項４に記載の２部屋型ネズミ捕り器。
【請求項１２】
底板１と傾斜板７’とをネズミ捕り器本体側に残したまま、それ以外の後方部屋部Ｅの部分をネズミ捕り器本体から取り外し、取り付け自在にしたこと
を特徴とする請求項６に記載の２部屋型ネズミ捕り器。
【請求項１３】
後方部屋部Ｅは、捕獲したネズミを取り出すための取り出し口を有すること
を特徴とする請求項４に記載の２部屋型ネズミ捕り器。
【請求項１４】
後方部屋部Ｅは、フタ板２１、取り出し口などの開閉部分に、捕獲したネズミの脱出を防ぐためのロック手段を有すること
を特徴とする請求項４に記載の２部屋型ネズミ捕り器。
【請求項１５】
後方部屋部Ｅは、金網の部分や光を遮ることの少ない樹脂板の部分を有すること
を特徴とする請求項４に記載の２部屋型ネズミ捕り器。
【請求項１６】
後方部屋部Ｅの内側に、金網やアクリル板のようなネズミにかじられにくい部材を張ること
を特徴とする請求項４に記載の２部屋型ネズミ捕り器。
【請求項１７】
持ち運び用吊り手２５を有するようにしたこと
を特徴とする請求項３に記載の２部屋型ネズミ捕り器。
【請求項１８】
上部に屋根を有するようにしたこと
を特徴とする請求項３に記載の２部屋型ネズミ捕り器。
【発明の詳細な説明】
【技術分野】
【０００１】  本発明は、ネズミを誘導する２つの部屋を設けた２部屋型ネズミ捕り器に関するものである。
【背景技術】
【０００２】  従来、ネズミ捕り器として市販されているものには、昔から存在する、金網状の檻の入口をバネによって閉めて捕獲するもの、殺鼠剤で死なせるもの、そして、最近見られる、粘着シートによって捕獲するものなどが存在している。
しかし、金網状の檻のものは、操作を誤ると危険であったり、殺鼠剤では、ネズミがどこで死ぬか分からない心配があり、また、粘着シートは、ネズミの用心深さ、学習体験から、仕掛けた粘着シートが避けられたり、確実に粘着しないで逃げられてしまい、捕獲に失敗してしまうことがある、などの不都合があった。【０００３】  これらの不都合を解決するために、本出願人は、先に、特開２００５−２０４６２８号公報（特許第３７８７６８３号）に見られるように、「上下粘着剤使用箱型ネズミ捕り器」として、外から中の様子の見えない箱型のネズミ捕り器とするとともに、粘着剤を箱の天井の部分と底の部分の２箇所に設け、まず、天井の部分の粘着剤が落下してネズミに粘着し、その後に、底の部分の粘着剤が現れて、ネズミを上下方向から挟むように粘着することで、確実に捕獲でき、危険はなく、捕獲したネズミの処分も簡単にでき、何度でも再使用できるネズミ捕り器を完成して、最初の一匹二匹のネズミだけでなく、付近にいるネズミを何匹でも捕獲できるようにしたものを、提案した。
【発明が解決しようとする課題】
【０００４】  しかしながら、この「上下粘着剤使用箱型ネズミ捕り器」では、粘着剤を使用しているので、水分や埃に弱く、手足、体全体などが濡れたり、汚れているネズミの捕獲が困難であった。また、屋外など風雨の当たる所での使用、捕獲も困難であるという問題点があった。
本発明は、この問題点を解消することを目的としてなされたものである。
【課題を解決するための手段】
【０００５】  本発明は、粘着剤を使用することなく、ネズミ捕り器の中に、ネズミの重みを利用したシーソー動作の仕掛けを２箇所設置するとともに、ネズミを誘導する部屋を２つ設けることによって、ネズミを捕獲するようにしたものである。
【発明の効果】
【０００６】  本発明は、粘着剤を使用していないので、ネズミの手足、体全体などが濡れたり、汚れていても、影響されることなく捕獲できるし、また、屋外など風雨の当たる所での使用も可能となる、効果を有するものである。
【発明を実施するための最良の形態】
【０００７】  以下、本発明の実施の形態を図１〜図９に基づいて説明する。【０００８】  図１は、２部屋型ネズミ捕り器の各部分Ａ〜Ｅを分解した側面図である。
図２は、２部屋型ネズミ捕り器の一部を破断して示した全体斜視図である。
図３は、２部屋型ネズミ捕り器の側面の断面図である。【０００９】  本願発明の２部屋型ネズミ捕り器は、図１〜図３に示すように、前方入口仕掛け部Ａ、前方部屋部Ｂ、餌置き部Ｃ、後方入口仕掛け部Ｄ、後方部屋部Ｅからなるものであって、一枚の底板１を共用して使用して、その底板１の上に、前方入口仕掛け部Ａと、前方部屋部Ｂと、餌置き部Ｃと、後方入口仕掛け部Ｄと、そして、後方部屋部Ｅとを設けたものであり、ネズミの通路が貫通して連なるようにしたものである。【００１０】  ネズミは、餌置き部Ｃに置かれた餌に誘われて、進入口である前方入口仕掛け部Ａから前方部屋部Ｂに入り、さらに、餌のある餌置き部Ｃへと進む。
その途中で、後述するような第１の仕掛けが作用することによって、前方入口仕掛け部Ａの進入口がふさがれてしまい、ネズミは後退することが出来なくなる。そこで、ネズミは、やむなく、前進が可能である後方入口仕掛け部Ｄ、そして、後方部屋部Ｅへと徐々に進むこととなる。
後方部屋部Ｅへ進んだネズミは、後述するような第２の仕掛けが作用することによって、後方入口仕掛け部Ｄの進入口がふさがれてしまい、ネズミは後退することが出来なくなってしまって、後方部屋部Ｅに閉じこめられたままとなって、捕獲されることになる。【００１１】  すなわち、本願発明の２部屋型ネズミ捕り器は、ネズミが、前方入口仕掛け部Ａの進入口から進入して、順に前方部屋部Ｂ、餌置き部Ｃ、後方入口仕掛け部Ｄ、後方部屋部Ｅへと前進が可能なような通路を形成しておき、進入した前方部屋部Ｂと後方部屋部Ｅとでは、その部屋へ入ると、その部屋からは、後退をして逃れようとすることが出来ないようにしたものである。【００１２】  前方入口仕掛け部Ａに設けた第１の仕掛けについて詳述すると、
前方入口仕掛け部Ａの断面は、図４、図５に示されていて、図４は、前方入口仕掛け部Ａの仕掛けがセットされた状態、すなわち、ネズミが進入口から進入することが可能な状態である。また、図５は、ネズミが進入した後に、進入口がふさがれてしまい、ネズミが後退をすることが出来ない状態である。【００１３】  図４、図５において、２は入口平板であり、ネズミ進入口をふさいだり、進入可能に開いたりするための板である。３はピン挿入孔で、入口平板２の中間部に形成されている。なお、ピン挿入孔３に挿入されるピン１３は、上コマ６から突出しているピンであって、上コマ６は、入口平板２のピン挿入孔３の上下方向通過軌跡と対向する位置に設けてある。４は、２つのコマ５、６の回転を制御するコマ回転制御板である。
そして、入口平板２とコマ回転制御板４とは、前方入口仕掛け部Ａの両側面内壁に各々上下方向に設けられた案内溝などの摺動部（図示せず）に、上下方向の案内摺動が可能なように配置されている。【００１４】  また、２つのコマである下コマ５と上コマ６は、前方入口仕掛け部Ａの両側面内壁に直接、または、中央方向に張り出した中間物を介して、該両側面間の中央部に、回転可能なように、上下方向に並べて回転軸１０と１１によって軸支されている。【００１５】  ７は傾斜板であり、底板１（図１、図３参照）の前方部屋部Ｂに固定されている軸受け部８に回転可能に嵌合した支軸９に設けられている。この前方部屋部Ｂに設けられている傾斜板７は、その前方入口仕掛け部Ａ側の端部、すなわち、進入口側の端部が、前方入口仕掛け部Ａ内まで延びていて、その端部の上面には、前記コマ回転制御板４の下端部が乗っている。
傾斜板７は、支軸９を中心にシーソーのような動きをするものであって、図４に示すネズミ捕り器の仕掛けがセットされた状態、すなわち、ネズミが進入口から進入が可能な状態では、後述するように、支軸９の回動により、前方入口仕掛け部Ａ側の端部が底板１に接する状態を維持するような傾斜となる。逆に、図５に示す進入口がふさがれてしまい、ネズミが後退をすることが出来ない状態では、後述するように、支軸９の回動により、前方入口仕掛け部Ａ側の端部が底板１から離れるように上昇し、他端の餌置き部Ｃ側の端部が下降して底板１に接近する状態を維持するような傾斜となる。【００１６】  上下方向に並べて軸支されている２つのコマ５と６は、それぞれほぼ四角形状をしていて、それぞれの形状、回転軸１０、１１の取り付け位置、そして、コマ相互間の間隔は、図４に示すようにネズミ捕り器の仕掛けがセットされた状態では、コマ回転制御板４による、下コマ５に設けられた舌片部１２に対する垂直方向への規制をすることによって、コマ５と６とが上下方向に並ぶようにして、下コマ５の舌片部１２に上コマ６の対向する面の下角部が当たるようになり、上コマ６の反時計方向への回動を規制し、そして、図５に示すように、下コマ５の舌片部１２に対するコマ回転制御板４による垂直方向への規制が解放されて、下コマ５が回転すると、上コマ６の回動の規制も解放されて回転するように設定される。【００１７】  図５は、進入口がふさがれてネズミが後退をすることが出来ない状態であって、コマ回転制御板４による、舌片部１２に対する垂直方向への規制が解き放たれ、それぞれのコマ５、６が、回転軸１０、１１を中心にして回動し、所定の位置を維持するようになった状態である。【００１８】  なお、上コマ６には、前記のようにピン１３が突出していて、図４に示すようにネズミ捕り器の仕掛けがセットされた状態では、ピン１３が、入口平板２の中間部に形成されているピン挿入孔３に挿入していて、入口平板２を上方に位置させるセット状態に維持し、図５に示すように入口平板２が下降して、進入口がふさがれてネズミが後退をすることが出来ない状態では、ピン１３は、ピン挿入孔３からは抜けている。【００１９】  コマ回転制御板４は、図６に示すように、下方部には、ネズミの通路となる開口１４が形成され、その開口１４の上方向には、前記舌片部１２に対する垂直方向への規制を行う枠部分１５と、舌片部１２に対する規制を解放するための切り込み部１６とが形成されている。
以上が、前方入口仕掛け部Ａに設けた第１の仕掛けである。【００２０】  次に、この仕掛けをセットする手順を説明すると、
まず、図５に示す状態、すなわち、入口平板２が、前方入口仕掛け部Ａの両側面内壁に設けられた案内溝などの摺動部（図示せず）に沿って下方に降下した状態から、ツマミ１７によって入口平板２を上方に引き上げるように上昇させる。
この入口平板２が上昇するにつれて、入口平板２によって時計方向への回動が規制された状態となっていた上コマ６のピン１３は、入口平板２の中間部に形成されているピン挿入孔３と向かい合った時に、規制された状態が解放されて、ピン挿入孔３内に挿入されていく。
このピン１３のピン挿入孔３内への挿入は、ピン１３が突出している上コマ６の、回転軸１１を中心とした図５における時計方向への回動との連動よってなされる。
そして、この上コマ６の時計方向への回動によって、上コマ６の下方の角と接することとなる下コマ５が、回転軸１０を中心として反時計方向へ回動させられる。
この下コマ５の反時計方向への回動によって、下コマ５に設けられ、コマ回転制御板４の切り込み部１６内に傾斜して存在していた舌片部１２が、切り込み部１６内を抜け出て、図４に示すように垂直状態になるとともに、２つのコマ５、６も、図４に示す状態で上下方向に並ぶようになる。【００２１】  この状態で、次に、コマ回転制御板４を、上方から、垂直状態の舌片部１２に沿うように下降させる。【００２２】  このコマ回転制御板４の下降によって、コマ回転制御板４の上方に位置する枠部分１５（図６参照）が下方に降りてきて、前記垂直状態の舌片部１２と対向する位置となり、垂直状態の舌片部１２の時計方向への回動を規制することとなる。
この規制によって、図４に示すように、２つのコマ５、６が上下方向に並んで固定され、上コマ６のピン１３が、入口平板２のピン挿入孔３に挿入されたままとなり、入口平板２が上方に上昇した状態に維持されて、ネズミ進入口が開いたままとなって、ネズミの進入が可能にセットされる。【００２３】  また、これと同時に、コマ回転制御板４の下降によって、コマ回転制御板４の下端部が乗っている傾斜板７の前方入口仕掛け部Ａ側の端部、すなわち、進入口側の端部は、底板１から離れている図５の状態から、図４に示すような底板１に接する状態となり、傾斜板７は、他端側である餌置き部Ｃ側の端部が上昇した状態で、傾斜する。
これで、前方入口仕掛け部Ａに設けた第１の仕掛けのセットは終了である。【００２４】  まとめると、まず、入口平板２を上昇し、次に、入口平板２のピン挿入孔３に、ピン１３を挿入して上コマ６を時計方向へ回動する。上コマ６の時計方向への回動によって、下コマ５が、反時計方向へ回動し、下コマ５の舌片部１２が垂直状態になるとともに、２つのコマ５、６も、上下方向に並ぶ。
次に、コマ回転制御板４を下降させて、枠部分１５によって垂直状態の舌片部１２の回動を規制して、入口平板２を上昇した状態で維持して、ネズミ進入口が開いたままとする。
一方、このコマ回転制御板４の下降によって、傾斜板７の前方入口仕掛け部Ａ側の端部を底板１に接するようにし、他端側の餌置き部Ｃ側の端部が上昇して、セットは終了する。【００２５】  この第１の仕掛けを、以上のようにセットしておき、次に、餌置き部Ｃに、ネズミの好物の餌を置いておく。この餌に誘われて、ネズミは、進入口、すなわち前方入口仕掛け部Ａから進入して、餌置き部Ｃの餌を食べようとする。後述するように、後方入口仕掛け部Ｄの進入口も開いており、さらに、その奥の後方部屋部Ｅも、なるべくネズミが不安を覚えないような作りにすることによって、ネズミの警戒心を取り除くようにしておくことによって、前方入口仕掛け部Ａから進入したネズミは、前方部屋部Ｂを通過して、餌置き部Ｃの餌を食べようと前進する。
そして、この前方部屋部Ｂを通過するときに、前方部屋部Ｂに固定されている傾斜板７の上を、すなわち、第１の仕掛けがセットされた状態であるので、前方入口仕掛け部Ａ側の端部が底板１に接し、餌置き部Ｃ側の端部が上昇して傾斜している傾斜板７の上を、ネズミは傾斜を登るように進んで行く。
そして、ネズミが軸受け部８を超えて奥に入って行くと、傾斜板７は、ネズミの重みによってシーソーのように奥が下がって、傾斜の方向が逆になる。すなわち、餌置き部Ｃ側の端部が下がり、前方入口仕掛け部Ａ側の端部が上昇する。【００２６】  このようにして、傾斜板７の前方入口仕掛け部Ａ側の端部が上昇すると、この上昇によって、前方入口仕掛け部Ａ側の端部の上面に下端部が乗っているコマ回転制御板４は、上方へ押し上げられる。
コマ回転制御板４が上方へ押し上げられると、前記第１の仕掛けをセットした時とは逆に、まず、コマ回転制御板４の上方に位置する枠部分１５が上昇して、時計方向への回動を規制されていた下コマ５の舌片部１２の規制が枠部分１５からはずれ、舌片部１２は枠部分１５の下方の切り込み部１６に傾斜して突っ込んで行く。
それに伴って、下コマ５が、回転軸１０を中心として時計方向へ回動し、下コマ５の上方に並んでいた上コマ６を、回転軸１１を中心として反時計方向へ回動させることになる。
この上コマ６の反時計方向へ回動は、上コマ６のピン１３を、挿入していた入口平板２のピン挿入孔３から抜くことになり、ピン１３による支持がはずれた入口平板２は、自重によって落下することとなり、前方入口仕掛け部Ａのネズミ進入口がふさがれる。
進入口がふさがれることによって、前方部屋部Ｂ内で、傾斜板７にシーソー作用を行ってしまったネズミは、後退をして進入口から外部へ逃げたくても、逃げることが出来なくなってしまうのである。【００２７】  この第１の仕掛けによって、前方入口仕掛け部Ａの進入口がふさがれてしまい、後退をして外部へ逃げることが出来なくなってしまったネズミは、やむなく、前進が可能である餌置き部Ｃ、そして、後方入口仕掛け部Ｄ、さらには、後方部屋部Ｅへと徐々に進むこととなる。
後方部屋部Ｅへ進んだネズミは、後方入口仕掛け部Ｄに設けた第２の仕掛けによって、後方入口仕掛け部Ｄの進入口がふさがれてしまい、後退することが出来なくなり、後方部屋部Ｅに閉じこめられたままとなって、捕獲されるのである。【００２８】  次に、この後方入口仕掛け部Ｄに設けた第２の仕掛けについて、後方入口仕掛け部Ｄと後方部屋部Ｅとを説明することにより詳述する。【００２９】  図７には、後方入口仕掛け部Ｄの詳細と後方部屋部Ｅの進入口部分が示されている。
後方入口仕掛け部Ｄに設ける第２の仕掛けの構造と原理は、先に述べた前方入口仕掛け部Ａに設けた第１の仕掛けの構造と原理と同じものである。ただ、入口平板２に相当する平板２’とコマ回転制御板４に相当するコマ回転制御板４’との左右方向の位置関係が、第１の仕掛けの入口平板２とコマ回転制御板４とは、逆になっているものであり、それに伴って、２つのコマ５’、６’の左右方向の向きも逆である。
また、平板２’の下端部は、平板２’が下方に降下した状態では、底板１まで降下するのではなく、底板１の上方に底板１と平行に設けられ、ネズミが踏みつけて行く第２の底板１８上に降下するものである。【００３０】  そして、平板２’が、第１の仕掛けの入口平板２と同じように、ツマミ１７’によって上方へ引き上げられると、平板２’の中間部に形成されているピン挿入孔３’内へ上コマ６’のピン１３’が挿入され、上コマ６’の反時計方向への回動に連動して、下コマ５’が時計方向へ回動させられ、下コマ５’に設けられた舌片部１２’が垂直状態になるとともに、２つのコマ５’、６’が上下方向に並ぶ。
この状態で、次に、コマ回転制御板４’を下降させ、垂直状態の舌片部１２’の反時計方向への回動を規制して、２つのコマ５’、６’を上下方向に並ぶように固定しする。そして、上コマ６’のピン１３’を、平板２’のピン挿入孔３’に挿入したままとして、平板２’が上方に上昇した状態を維持するようにして、平板２’の下端部が、第２の底板１８から、ネズミの通路を形成する間隔だけ浮き上がった状態でセットされる。【００３１】  一方、このコマ回転制御板４’の下降によって、コマ回転制御板４’の下端部が、傾斜板７’の一端部を底板１に接するように押し下げる。傾斜板７’は、図３に示すように、後方部屋部Ｅに設けられるものであり、後方部屋部Ｅの底板１（図１、図３参照）に固定されている軸受け部８’に回転可能に嵌合した支軸９’に設けられている。この後方部屋部Ｅに設けられている傾斜板７’は、一端部が、前述のように後方入口仕掛け部Ｄ内まで延びていて、その一端部の上面に前記コマ回転制御板４’の下端部が乗っているものである。【００３２】  次に、図３、７、８によって、後方部屋部Ｅについて説明する。なお、図８は、後方部屋部Ｅの後方部分の一部を破断して示した図である。
後方部屋部Ｅは、進入口から内部をのぞいたネズミが、不安、警戒心を覚えることなく奥まで進んで行く気持ちにさせるような構造とすることが必要であり、そのために、例えば、後方部分である背面板１９（図３参照）（図８では外されている。）を、光を遮ることの少ない樹脂板としたり、天井部分を光を通す金網とする。また、後方部屋部Ｅは、ネズミを閉じこめ捕獲する部屋であるので、穴を開けられて逃げられない構造とすることも必要であり、そのために、例えば、側面部などの内側に、アクリル板や金網などを張ることも考えられる。【００３３】  そして、後方部屋部Ｅの底板１には、前述のように傾斜板７’が設けられている。さらに、傾斜板７’の上方に、第３の底板２０が、後方入口仕掛け部Ｄの第２の底板１８とほぼ同じ高さ位置に、ネズミが踏みつけられるように設けている。
この第３の底板２０の後端部（後方入口仕掛け部Ｄ側）に、後方部屋部Ｅの進入口を開閉するフタ板２１の下端部が降下したときに乗ることになる。
なお、フタ板２１は、入口平板２、コマ回転制御板４、平板２’、コマ回転制御板４’と同様に、両側面内壁の摺動部（図示せず）に、上下方向の摺動が可能なように配置されている。さらに、フタ板２１の上端部には、係止片２２が形成されており、係止片２２は、後方入口仕掛け部Ｄの平板２’の上端部上に覆い被さるように形成されている。【００３４】  第３の底板２０の先端部には、図３に示しているように、蝶番を介して踏み板２３が取り付けられる。踏み板２３の下面には、三角形の板２４を取り付け、この三角形の板２４の先端は、傾斜板７’の他端部と接している。また、この蝶番を取り付けた踏み板２３と三角形の板２４とは、第３の底板２０の先端部ではなく、図８に示すように、長目に延ばした第３の底板２０上で、背面板１９側の端部である、傾斜板７’の他端部と対向する位置に取り付けられ、三角形の板２４は、第３の底板２０に形成した穴を突き抜けて傾斜板７’の他端部と接するようにしてもよい。
以上が、後方入口仕掛け部Ｄに設けた仕掛けである。【００３５】  次に、この第２の仕掛けをセットする手順を説明すると、
まず、図７に示す状態から説明すると、図７は、平板２’が下方に降下して、第２の底板１８上に乗っている状態であり、平板２’の上端部には、フタ板２１の上端部の係止片２２が、覆い被さるように接しているのである。フタ板２１の下端部は、第３の底板２０の後端部に乗っている状態である。
このフタ板２１の存在が、第１の仕掛けの状態とは異なっている点である。【００３６】  ここで、この第２の仕掛けをセットするためには、まず、ツマミ１７’（図７）によって平板２’が上方へ引き上げられる。この平板２’の引き上げに伴って、平板２’の上端部に係止片２２によって係止されているフタ板２１も、上方へ引き上げられる。そして、引き上げられた平板２’の中間部に形成されているピン挿入孔３’内へ上コマ６’のピン１３’が挿入され、上コマ６’の反時計方向への回動に連動して、下コマ５’が時計方向へ回動させられ、下コマ５’に設けられた舌片部１２’が垂直状態になるとともに、２つのコマ５’、６’が上下方向に並ぶ。【００３７】  この状態で、次に、コマ回転制御板４’を下降させ、垂直状態の舌片部１２’の反時計方向への回動を規制して、２つのコマ５’、６’を上下方向に並ぶように固定しする。そして、上コマ６’のピン１３’を、平板２’のピン挿入孔３’に挿入したままとして、平板２’が上方に上昇した状態を維持するようにして、平板２’の下端部が、第２の底板１８から、ネズミの通路を形成する間隔だけ浮き上がった状態でセットされるとともに、フタ板２１の下端部も同様に、第３の底板２０から、ネズミの通路を形成する間隔だけ浮き上がった状態となる。これらのセット状態は、図３に示されている。【００３８】  また、これらと同時に、コマ回転制御板４’の下降によって、コマ回転制御板４’の下端部が、傾斜板７’の一端部を底板１に接するように押し下げ、他端部を上昇させる。この他端部の上昇によって、図３または図８に示すように、傾斜板７’の他端部に接している三角形の板２４と踏み板２３とが押し上げられ、蝶番を有する踏み板２３は、第３の底板２０に対して上方に傾斜した状態となる。
これで、第２の仕掛けのセットは終了である。【００３９】  まとめると、まず、平板２’とフタ板２１とを上端部で接した状態で、上方へ引き上げる。そして、平板２’のピン挿入孔３’に、ピン１３’を挿入して上コマ６’を反時計方向へ回動する。上コマ６’を反時計方向へ回動によって、下コマ５’が時計方向へ回動し、下コマ５’の舌片部１２’が垂直状態になるとともに、２つのコマ５’、６’も上下方向に並ぶ。
この状態で、次に、コマ回転制御板４’を下降させ、垂直状態の舌片部１２’の反時計方向への回動を規制して、平板２’とフタ板２１とを上方へ引き上げられた状態で維持して、ネズミの通路を、餌置き部Ｃから後方部屋部Ｅまで進出可能なようにする。
一方、このコマ回転制御板４’の下降によって、コマ回転制御板４’の下端部が、傾斜板７’の一端部を底板１に接するように押し下げ、他端部を上昇させる。
この他端部の上昇によって、傾斜板７’の他端部に接している三角形の板２４と踏み板２３とが押し上げられ、蝶番を有する踏み板２３は、第３の底板２０に対して上方に傾斜した状態となって、セットは終了する。【００４０】  この第２の仕掛けを、前述の第１の仕掛けのセットとともに、セットしておくことによって、前述のように、ネズミは餌置き部Ｃの餌に誘われて、前方入口仕掛け部Ａから進入して、第１の仕掛けの傾斜板７の傾斜を登るように進んで行く。そして、入口平板２を落下させて、前方入口仕掛け部Ａのネズミ進入口がふさがれる。
これによって、ネズミは、やむなく、前進が可能である餌置き部Ｃ、そして、後方入口仕掛け部Ｄの第２の底板１８、さらには、後方部屋部Ｅの第３の底板２０上を、脱出口を求めて進むこととなる。【００４１】  そして、後方部屋部Ｅに入り、動き回って、傾斜している踏み板２３を踏んでしまうと、ネズミの重みによって、蝶番に取り付けられた踏み板２３が下方向へ沈み、踏み板２３の下面の三角形の板２４が、接している傾斜板７’の他端部を底板１方向へ押し下げることになる。
傾斜板７’はシーソーのように他端部が下がれば、反対側の一端部が上昇する。この傾斜板７’の一端部の上昇によって、第１の仕掛けと同様に、コマ回転制御板４’が上方へ押し上げられ、平板２’が自重によって落下するとともに、フタ板２１も落下する。
平板２’とフタ板２１との落下によって、後方入口仕掛け部Ｄに設けた第２の仕掛けの進入口がふさがれてしまい、後方部屋部Ｅへ進んでいたネズミは、後退することが出来なくなり、後方部屋部Ｅに閉じこめられたままとなって、捕獲されるのである。【００４２】  図９は、餌置き部Ｃの部分と後方部屋部Ｅの部分とを取り外した状態の２部屋型ネズミ捕り器の一部を示した図である。
捕獲されたネズミは、後方部屋部Ｅの背面板１９（図３）や天井部分から取り出すことなどによって、処分されるのであるが、図９に示すように、底板１と傾斜板７’とを２部屋型ネズミ捕り器本体側に残したまま、それ以外の後方部屋部Ｅを、例えば、背面板１９方向（図９の矢印Ｍ方向）への取り外しが可能なようにして、捕獲されたネズミが入っている後方部屋部Ｅのみを、他所へ移動してネズミを処分し、処分してネズミの入っていない後方部屋部Ｅを、再度本体に装着して使用するようにすることも可能である。
このように、後方部屋部Ｅを、着脱自在にして、他所へ移動するときに、ネズミを逃がさないためにも、フタ板２１は必要なものである。さらに、フタ板２１や取り出し口となる背面板１９、天井部分が、移動中に開いてしまわないような手段を設けることも重要である。
また、図９に取り外した状態が示されているように、餌置き部Ｃの部分も、底板１をネズミ捕り器本体側に残したまま、それ以外の部分を、例えば、矢印Ｎ方向へ取り外し、取り付け可能にしてもよい。なお、餌は、底板１の上方に位置する底部に置かれる。
このように餌置き部Ｃの部分を取り外せるようにしておくことによって、餌を置いたり、交換することが容易になるし、水洗いも簡単にできる。なお、餌置き部Ｃには、餌を置いたり、交換、水洗いなどをするための開閉口を設けることは当然のことである。さらに、餌置き部Ｃは、ネズミが、餌の存在に気が付き、食べに行く気にさせるために、臭いが外部に広がるように金網の部分を設けたり、内部が見えるように透明板の部分を設けるようにしてもよい。【００４３】  なお、２部屋型ネズミ捕り器は、２部屋を備えていて、かなりの重量となるので、図２、図３に示すように、持ち運び用吊り手２５を設けるようにしてもよい。また、このネズミ捕り器の上に、板等を乗せて、風雨を避ける簡単な屋根を設けるようにしても良い。
【発明の効果】
【００４４】  本発明は、以上のような構成とすることによって、粘着剤を使用することなく、ネズミの重みを利用して、シーソー動作をする仕掛けを作動させて、ネズミを捕獲をするので、ネズミの手足、体全体などが濡れたり、汚れたりしていても、影響されることなく捕獲できるし、また、屋外など風雨の当たる所での使用も可能となる効果を有するものである。
また、簡単な屋根を設けるようにすれば、さらに効果的である。
そして、小さなネズミの重みでも、シーソー動作をする仕掛けとすることによって、小さなネズミから大きなネズミまで、捕獲できる効果を有するものである。
さらに、後方部屋部Ｅの部分と餌置き部Ｃの部分とを、取り外し、取り付け可能にすることによって、ネズミの処分、餌の補給が容易となり、水洗いも簡単にできるようになり、清潔に保つことができる効果を有するものである。
【図面の簡単な説明】
【００４５】
【図１】２部屋型ネズミ捕り器の各部分を分解した側面図。
【図２】２部屋型ネズミ捕り器の一部を破断して示した全体斜視図。
【図３】２部屋型ネズミ捕り器の側面の断面図。
【図４】前方入口仕掛け部Ａの仕掛けがセットされた状態を示す図。
【図５】前方入口仕掛け部Ａの仕掛けのセットが解放された状態を示す図。
【図６】コマ回転制御板４を示す図。
【図７】後方入口仕掛け部Ｄの詳細と後方部屋部Ｅの進入口部分を示す図。
【図８】後方部屋部Ｅの後方部分の一部を破断して示した図。
【図９】餌置き部Ｃの部分と後方部屋部Ｅの部分とを取り外した状態を示した図。
【図１０】２部屋型ネズミ捕り器の側面の断面図。
【符号の説明】
【００４６】  Ａ  前方入口仕掛け部
Ｂ  前方部屋部
Ｃ  餌置き部
Ｄ  後方入口仕掛け部
Ｅ  後方部屋部
１  底板
２  入口平板
２’平板
３  ピン挿入孔
３’ピン挿入孔
４  コマ回転制御板
４’コマ回転制御板
５  下コマ
５’下コマ
６  上コマ
６’上コマ
７  傾斜板
７’傾斜板
８  軸受け部
８’軸受け部
９  支軸
９’支軸
１０  下コマの回転軸
１１  上コマの回転軸
１２  下コマの舌片部
１２’下コマの舌片部
１３  上コマのピン
１３’上コマのピン
１４  コマ回転制御板のネズミの通路となる開口
１５  コマ回転制御板の枠部分
１６  コマ回転制御板の切り込み部
１７  入口平板のツマミ
１８  第２の底板
１９  背面板
２０  第３の底板
２１  フタ板
２２  係止片
２３  踏み板
２４  三角形の板
２５  持ち運び用吊り手
【図１】
2008035844.tif 000003
【図２】
2008035844.tif 000004
【図３】
2008035844.tif 000005
【図４】
2008035844.tif 000006
【図５】
2008035844.tif 000007
【図６】
2008035844.tif 000008
【図７】
2008035844.tif 000009
【図８】
2008035844.tif 000010
【図９】
2008035844.tif 000011
【図１０】
2008035844.tif 000012